(57)【要約】      （修正有）【課題】肩に加わる集中的な負担を軽減でき、意匠柄の選択自由度も高く、安定した乳幼児の抱っこが可能なベビースリングを提供する。【解決手段】外方向に膨張する力を外部から与えないとき、重ね折りにした環状の四角形を形成したものであるから、睡眠している乳幼児の上掛けとして使用できる。また、環状長の長さ方向に対して弾性変化の大きい大弾性部ＥＢと、前記重ね折りにした環状長の長さ方向に対して弾性変化の少ない小弾性部ＥＳにより、帯幅Ｗの中央が凸に大きく弾性変化される乳幼児保持部１２を形成するものであるから、安定した乳幼児保持部１２が確保され、ベビースリング１０の機能が発揮できる。しかも、肩幅に広く環状としたベビースリング１０の帯幅が引っ掛かるので、肩の負担が軽くなり、その面積は広くなるが、ベビースリング１０の一重が肩に乗るだけであるから、部分的に暑さを感じることがない。【選択図】図１
2015047248.tif 000002
【特許請求の範囲】
【請求項１】
外方向に膨張する力を外部から与えないとき、環状の内面を相手方の内面に接触する重ね折りにした重ね折り畳み状態で、前記重ね折りにして重ねた環状側の開口長さが環状長、該環状長の開口両端の長さに対して直角方向の幅を帯幅とするとき、前記環状長が前記帯幅方向に均一の長さであり、前記帯幅が前記環状長方向にも均一の幅であり、対向する環状側の辺のみが開口とした四角形を形成し、
しかも、前記環状長の長さ方向に対して弾性変化の大きい編み地部と、前記重ね折りにした環状長の長さ方向に対して弾性変化の少ない編み地部は、目数密度及び／またはループ密度の大きさの違いによって決定し、中央が外方向に凸に弾性変化される乳幼児保持部を形成してなる単糸または双糸で編まれてなることを特徴とするベビースリング。
【請求項２】
前記重ね折りにした環状側の環状長の長さ方向に対して弾性変化の大きい編み地部と、前記重ね折りにした環状側の環状長の長さ方向に対して弾性変化の少ない編み地部は、帯幅中心を弾性変化の大きい編み地部とし、その両側を弾性変化の少ない編み地としたことを特徴とする請求項１に記載のベビースリング。
【請求項３】
更に、前記帯幅の弾性変化の少ない編み地の両外側に、幅３〜７ｃｍの弾性変化の大きい編み地部を形成したことを特徴とする請求項１または請求項２に記載のベビースリング。
【請求項４】
前記重ね折りにした環状側の環状長の長さ方向に対して弾性変化の大きい編み地部と、前記重ね折りにした環状側の環状長の長さ方向に対して弾性変化の少ない編み地部は、その間に中間的な弾性変化の編み地部を設けたことを特徴とする請求項１乃至請求項３の何れか１つに記載のベビースリング。
【請求項５】
前記ベビースリングは、単糸または双糸によって無縫製ニット横編機で全体が編成されていることを特徴とする請求項１乃至請求項４の何れか１つに記載のベビースリング。
【発明の詳細な説明】
【技術分野】
【０００１】
本発明は、乳児及び幼児を含む乳幼児を抱く際に、乳幼児を抱持する補助具として用いられるベビースリングに関するものである。
【背景技術】
【０００２】
この種の先行技術としては、特許文献１の発明がある。なお、以下の従来例の（  ）書きの番号は、特許文献１乃至特許文献３の実施例の説明で使用された符号である。
特許文献１は、帯状体(１０)が環状に形成されたベビースリング(１)において、帯状体(１０)は、幅方向の中央部(１４)に伸縮糸を用い、側縁部(１５)に非伸縮糸を用い、中央部(１４)と側縁部(１５)とが一体に編成された編み地からなる。また、前記帯状体(１０)の幅方向において、中央部(１４)が相対的に粗い網目に編成されたネット組織で構成され、側縁部(１５)が相対的に細かい目に編成された密組織で構成されている。また、前記帯状体(１０)の長さ方向において、相対的に粗い網目に編成されたネット組織(１３ｂ)、(１３ｄ)と、相対的に細かい目に編成された密組織(１３ａ)、(１３ｃ)、(１３ｄ)とを有する。
【０００３】
このように構成した特許文献１では、帯状体(１０)の側縁部(１５)が非伸縮糸により伸びが規制される一方で、中央部(１４)が編み組織の広がりと伸縮糸自身の伸びによって幅方向にも長さ方向にも広がり、より立体的に変形してフィット性が高まる。また、側縁部(１５)の伸びがさらに強く規制され、中央部(１４)では糸自身の伸縮にネット組織(１３ｂ)、(１３ｄ)の網目の変形が加わり、中央部(１４)と側縁部(１５)の伸縮性の差が顕著となり、中央部(１４)を一層立体的に変形させてフィット性を高めることができる。また、側縁部(１５)を密組織(１３ａ)、(１３ｃ)、(１３ｅ)に編成することにより帯状体 (１０)の強度が向上する。そして、乳幼児保持部(１３ｄ)や肩当て部(１３ｂ)等の幅方向の広がりが要求される部分をネット組織に編成してフィット性を確保する一方で、それ以外の部分を密組織(１３ａ)、(１３ｃ)、(１３ｅ)に編成することにより強度を高めることができる。更に、ネット組織(１３ｂ)、(１３ｄ)が丈夫であり、かつ、ネット組織(１３ｂ)、(１３ｄ)と密組織(１３ａ)、(１３ｃ)、(１３ｅ)との編み分けも容易である。また、環状部の直径を調節して使用者の体格に合わせることができる。
【０００４】
特許文献１のベビースリングは、展開状態において、ネット状の帯状体（１０）の一端部（１３ａ）に２個の連結用リング（１１）、（１１）が取付けられ、他端部（１３ｅ）に硬質ゴムシートからなる抜け止め用部材（１２）が縫着されている。前記ベビースリングは、前記帯状体（１０）の他端部（１３ｅ）を２個のリング（１１）、（１１)間に通してリング（１１）、（１１）間に拘束することによって環状に形成される。そして、帯状体(１０)は、その長さ方向において、リング（１１)を取り付ける一端部（１３ａ）と抜け止め用部材（１２）を縫着する他端部（１３ｅ）との間が、使用者の肩に当たる肩当て部（１３ｂ）、使用者の背中に当たる背当て部（１３ｃ）、乳幼児を収容する乳幼児保持部（１３ｄ）に対応する。なお、環状部の直径はリング（１１）による拘束位置を加減することによって無段階で調節でき、使用者の体格に合わせることができる。
【０００５】
しかし、特許文献１のベビースリングは、ネット状の帯状体（１０）の一端部（１３ａ）に２個の連結用リング（１１）、（１１）が取付けられ、他端部（１３ｅ）に硬質ゴムシートからなる抜け止め用部材（１２）が縫着されており、前記帯状体（１０）の他端部（１３ｅ）を２個のリング（１１）、（１１)間に通してリング（１１）、（１１）間に拘束することによって環状に形成されるものであるが、２個のリング（１１）、（１１)間に通して拘束してあっても、使用中にずれが生じることから、使用者は安心して乳幼児を乗せて乳幼児のみに手を添えるのではなく、乳幼児の臀部から手をまわして抱えているのが現状である。
そこで、出願人は、全体の環状の長さが変化することなく、かつ、乳幼児保持部で乳幼児を安定した受けができるベビースリングに関する発明を特許文献２で紹介した。また、当該ベビースリングが１本の糸で形成されていることから、通常の長さ調節具（アジャスタ）は使用できない。そこで、それに使用できる長さ調節具を発明し、特許文献３でそれを紹介した。
【０００６】
特許文献３の具現化した当該長さ調節具は、環状のべビースリングの全長を３〜１５ｃｍの単位で短くするものである。また、環状のべビースリングの全長も１１０ｃｍ、１２０ｃｍ、１３０ｃｍとするものであるが、購買者の感覚にはベビースリングを夫婦で使用するから、男性用に環状のべビースリングの全長が長いものを購入し、女性が使用する際には、長さ調節具でそれを１０〜１５ｃｍ程度短くしたいという前提で使用される場合がある。
このような使用方法においては、特許文献２の「帯状部の両端から連続して形成された弾性変化の少ない編み地とその内側に形成された少なくともその長さ方向に直角な幅方向に対する弾性変化の大きい編み地からなる肩当部」の存在が、本来の位置よりも１０〜１５ｃｍ程度ずれてしまうことになる。特に、１２ｃｍ程度を超えると「肩当部」の存在意義がなくなってくるばかりか、肩に負担を感じる場合もある。また、この「肩当部」は乳幼児の体重を肩に加えるものであるから、特許文献１のように２個のリング（１１）、（１１)間に通して拘束すると、現実には平面的な帯状部が紐状となり、肩に集中的な負担が加わることになるという問題がある。
【先行技術文献】
【特許文献】
【０００７】
【特許文献１】特開２００７−７５２３８
【特許文献２】特開２０１２−４０２２３
【特許文献３】特開２０１２−３１５３４
【発明の概要】
【発明が解決しようとする課題】
【０００８】
現在、特許文献２のベビースリングの普及に伴いベビースリングの全長を長さ調節具で調節するよりも、使用する人の肩の負担を軽減してほしいというニーズが高まってきている。また、使用する人の肩には、ベビースリングの「肩当部」が衣服の上に重なることから、汗をかき、しっとりと濡れてしまいベビースリングから解放された時に衣料品の肩に汗が浸みているという見栄えの良くない現象が生じる場合がある。
また、弾性変化の大きい部分は編み上げに弾性変化の大きい柄を使用し、また、弾性変化の小さい部分は編み上げに弾性変化の小さい柄を使用しているから、柄の選択自由度が少なく、全体のデザインも自由度が制限されている。
【０００９】
そこで、本発明は、肩に加わる集中的な負担を軽減でき、意匠柄の選択自由度も高く、安定した乳幼児の抱っこが可能なベビースリングの提供を課題とするものである。
【課題を解決するための手段】
【００１０】
請求項１の発明にかかるベビースリングは、外方向に膨張させる外力を与えないとき、環状の内面を相手方の内面に接触する重ね折り畳み状態で、前記重ね折りにした環状側の長さが環状長、該環状長の長さに対して直角方向の幅を帯幅とするとき、前記環状長が前記帯幅方向に均一であり、前記帯幅が前記環状長方向に均一であり、対向する環状側の辺のみが開口する前記重ね折りにした環状の四角形を形成し、しかも、前記環状長の長さ方向に対して弾性変化の大きい編み地部と、前記重ね折りにした環状長の長さ方向に対して弾性変化の少ない編み地部により、単糸または双糸で環状に編成し、中央が凸に大きく弾性変化される乳幼児保持部を形成したものである。
ここで、前記環状長の長さ方向に対して弾性変化の大きい編み地部と弾性変化の少ない編み地部は、網目の目数密度及び／またはループ密度の大きさの違いによって行うことができる。因みに、密度が高いところでは伸びが少なく、密度が低いところでは伸びが大きい。
【００１１】
したがって、本発明を実施する場合の伸縮性の大きい、小さいは、編み地の目数密度及び／またはループ密度の違いによって異なるものであり、特定された方向のみを対象とするものである。この弾性変化の大きい、小さいは、弾性率で表現すると２倍以下であればよい。沈み込み量からして１．２倍から、乳幼児の体重及びそのサイズに基づき沈み位置を加味すると２倍までが通常の好適な伸びとなる。このときの伸びとは、伸縮性が大きい編み方または伸縮性の小さい編み方を独立させて、２０ｋｇを加えた場合の伸びの量の比較である。
また、上記中央が環状から外方向に凸状に突出し、大きく弾性変化される乳幼児保持部は、前記環状長の長さ方向に対して弾性変化の大きい編み地部によって、乳幼児の臀部を外方向に突出させた受ける形態であればよい。
そして、前記乳幼児保持部は、環状の長さ方向に直角に２つに折り畳んだとき、中央が凸に湾曲形成される。即ち、前記乳幼児保持部は乳幼児の重みで沈み易く、前記乳幼児保持部内またはその近傍に重心位置がきて、安定した位置が保持できる重心位置となる深さに湾曲及びその弾性変化が設定されておればよい。
更に、単糸または双糸で環状に編まれてなるとは、単糸または単糸を寄り合わせた双糸の何れでもよいことを意味し、また、糸の撚り数は糸の番手によって標準的な撚り数が決まっているが、標準より撚り数を増やした強撚糸でもよいし、撚り回数を減らした弱撚糸としてもよい。また、糸自体に特種加工を施した意匠撚糸としてもよい。
このベビースリングは一体に、単糸または双糸で環状に編まれてなるものである。
【００１２】
請求項２の発明にかかるベビースリングは、前記重ね折りにした環状側の環状長の長さ方向に対して弾性変化の大きい編み地部と、前記重ね折りにした環状側の環状長の長さ方向に対して弾性変化の少ない編み地部は、帯幅中心を弾性変化の大きい編み地部とし、その両側を弾性変化の少ない編み地としたものである。
ここで、上記帯幅の中心線から所定の幅範囲を前記重ね折りにした環状側の環状長の長さ方向に対して弾性変化の大きい編み地部とすることにより、乳幼児が乗った時に乳幼児保持部が形成され、また、乳幼児は前記重ね折りにした環状側の長さ方向の環状長に対して弾性変化の少ない編み地部で保持されることになる。
【００１３】
請求項３の発明にかかるベビースリングは、更に、前記重ね折りにした環状側の長さ方向に対して直角方向の幅の弾性変化の少ない編み地の外側に、幅３〜７ｃｍの弾性変化の大きい編み地部を形成したものである。
前記重ね折りにした環状側の長さ方向に対して直角方向の幅の弾性変化の少ない編み地の外側に、幅３〜７ｃｍの弾性変化の大きい編み地部を形成すると、帯幅の中心の弾性変化の大きい編み地部と同一の弾性とすることもできる。この設定によって、ベビースリングの乳幼児保持部に臀部を入れ、両脚をベビースリングの外部に出しているときでも、脚はベビースリングの柔軟な弾性で接触されるから、乳幼児の脚の血流が左右され、また、脚に一時的に筋が入るのを防止することができる。
【００１４】
請求項４の発明にかかるベビースリングは、前記重ね折りにした環状側の環状長の長さ方向に対して弾性変化の大きい編み地部と、前記重ね折りにした環状側の環状長の長さ方向に対して弾性変化の少ない編み地部は、その間に中間的な弾性変化の編み地部を設けたものである。
ここで、上記中間的な弾性変化の編み地部は、弾性変化の大きい編み地部と弾性変化の少ない編み地部の間の値であればよい。したがって、網目の目数密度及び／またはループ密度の大きさの違いが両者の中間値であればよい。
【００１５】
請求項５の発明にかかるベビースリングは、外方向に膨張する力を外部から与えないとき、前記重ね折りにした環状の四角形は、単糸または双糸によって無縫製ニット横編機を使用して編成されている。
ここで、単糸または双糸で形成するのは、ベビースリングの全体である。勿論、本発明を実施する場合には、単糸または双糸でベビースリングを形成しなくても構成できるが、１本の糸（双糸を含む）で形成すると糸切れ等の発見が早く、その対処が容易である。当然、部分的に繋いだり、縫い合わせたりする個所がないので、生産工程中の不良の発生も少ない。
【発明の効果】
【００１６】
請求項１の発明のベビースリングにおいては、外方向に膨張する力を外部から与えないとき、重ね折りにした環状の四角形を形成したものであるから、そのまま、睡眠している乳幼児の上掛けとして使用できる。
また、前記環状長の長さ方向に対して弾性変化の大きい編み地部と、前記重ね折りにした環状長の長さ方向に対して弾性変化の少ない編み地部により、帯幅Ｗの中央が凸に大きく弾性変化される乳幼児保持部を形成するものであるから、安定した乳幼児保持部が確保され、ベビースリングの機能が発揮できる。しかも、肩幅に広く環状としたベビースリングの帯幅が引っ掛かるので、肩の負担が軽くなり、また、その面積は広くなるが、ベビースリングの一重が肩に乗るだけであるから、部分的に暑さを感じることがない。
よって、肩に加わる集中的な負担を軽減でき、安定な乳幼児の抱っこが可能なベビースリングとなる。また、伸縮性の大きい、小さいは、編み地の目数密度及び／またはループ密度の違いによって異なるものであり、意匠柄に拘束されないので、その選択自由度も高くなる。
【００１７】
請求項２の発明のベビースリングにおいては、前記重ね折りにした環状長の長さ方向に対して弾性変化の大きい編み地部と、前記重ね折りにした環状側の環状長の長さ方向に対して弾性変化の少ない編み地部は、帯幅の中心を弾性変化の大きい編み地部とし、その両側を弾性変化の少ない編み地としたものであるから、請求項１に記載の効果に加えて、前記帯幅の中心線から所定の幅範囲を前記重ね折りにした環状側の環状長の長さ方向に対して弾性変化の大きい編み地部にでき、乳幼児を受けたときに乳幼児保持部が形成され、それによって重心位置が下がり、また、乳幼児は前記重ね折りにした環状側の長さ方向の環状長に対して弾性変化の少ない編み地部で保持されることになる。
したがって、ベビースリングによって安定した抱っこが可能になる。
【００１８】
請求項３の発明のベビースリングにおいては、更に、前記帯幅の弾性変化の少ない編み地の両外側に、幅３〜７ｃｍの弾性変化の大きい編み地部を形成したものであるから、請求項１または請求項２に記載の効果に加えて、前記重ね折りにした環状側の長さ方向に対して直角方向の幅の弾性変化の少ない編み地の外側に、幅３〜７ｃｍの弾性変化の大きい編み地部を形成することによって、ベビースリングの乳幼児保持部に臀部を入れ、両脚をベビースリングの外部に出しているとき、脚は柔軟な弾性で接触されるから、血流に支障を与えることがなく、当然、脚に一時的に筋が入るのを防止できる。
【００１９】
請求項４の発明のベビースリングにおいては、前記重ね折りにした環状側の環状長の長さ方向に対して弾性変化の大きい編み地部と、前記重ね折りにした環状側の環状長の長さ方向に対して弾性変化の少ない編み地部は、その間に中間的な弾性変化の編み地部を設けたものであるから、請求項１乃至請求項３の何れか１つに記載の効果に加えて、弾性変化の大きい編み地部と弾性変化の少ない編み地部との間に、中間的な弾性変化の編み地部を設けているので、弾性変化の大きい編み地部と弾性変化の少ない編み地部と、中間的な弾性変化の編み地部の何れにもストレスが入り難くなるので、ベビースリングを長寿とし、かつ、皺が入ることがない。
【００２０】
請求項５の発明のベビースリングにおいては、単糸または双糸等の糸によって無縫製ニット横編機で全体が編成されているから、請求項１乃至請求項４の何れか１つに記載の効果に加えて、単糸または双糸等の一本の糸（双糸を含む）で形成すると糸切れ等の発見が早く、対処が容易である。そして、部分的に縫い合わせが外れて一部が破断したり、伸びたりするという事態が発生しない。したがって、安全性の高いベビースリングとすることができる。
【図面の簡単な説明】
【００２１】
【図１】図１は本発明の実施の形態１の環状となっているベビースリングを重ね折りにして重ねた平面図である。
【図２】図２は公知のニット編みの編成基本動作を示す編成の説明図である。
【図３】図３は本発明の実施の形態１のベビースリングの膨張する力を加えたことを想定して模写した平面図である。
【図４】図４は本発明の実施の形態２の環状となっているベビースリングを重ね折りにして重ねた平面図である。
【図５】図５は本発明の実施の形態２のベビースリングを機械で編成する設定の説明図である。
【図６】図６は本発明の実施の形態１及び実施の形態２のベビースリングの使用状態を示す説明図で、(ａ)は縦抱持用、(ｂ)は横抱持用の斜視図である。
【図７】図７は本発明の実施の形態３のベビースリングを機械で編成する設定の説明図である。
【図８】図８は本発明の実施の形態３のベビースリングを機械で編成したベビースリングを重ね折りにして重ねた平面図である。
【発明を実施するための形態】
【００２２】
以下、本発明の実施の形態について、図面に基づいて説明する。なお、実施の形態における図示の同一記号及び同一符号は、同一または相当する機能部分であるから、ここではその重複する説明を省略する場合がある。
【００２３】
［実施の形態１］
図１はベビースリング１０の全体平面図で、外部から図示紙面の上辺と下辺に対して上下方向に膨張する力を与えない状態で、環状の内面を相手方の内面に接触する重ね折りにした重ね折り畳み状態の図である。重ね折りにして重ねた環状側の開口Ａの長さが環状長Ｍ、環状長Ｍの長さに対して直角方向の幅を帯幅Ｗとする。
因みに、図１の上面となっている露出面を表面ＳＦ、その内面の対向面となっている内側の面を裏面ＢＡとする。
【００２４】
環状長Ｍは帯幅Ｗ方向に連続して均一の長さであり、帯幅Ｗが環状長Ｍ方向に連続して均一の幅であり、露出する表裏２面の表面ＳＦとその反対側の内側に対向する２面からなる裏面ＢＡとを有し、それによって図１に示す左右の辺に開口Ａを形成している。但し、本発明を実施する場合において、均一の幅、均一の長さとは、ベビースリング１０が編成した繊維製品であることから、設計上の数値から１０ｍｍ以下の誤差範囲内は均一幅として扱うこととする。
【００２５】
しかも、環状長Ｍの長さ方向に対して弾性変化の大きい編み地部、即ち、大弾性部ＥＢと、重ね折りにした環状長Ｍの長さ方向に対して弾性変化の少ない編み地部、即ち、小弾性部ＥＳとにより、中央が凸に大きく弾性変化される乳幼児保持部１２を形成し、それを１対の小弾性部ＥＳで挟持している。
即ち、外部から紙面の上辺と下辺に対して上下方向に均一に膨張する力を与えた状態では、図３に示すように、大弾性部ＥＢの両側に小弾性部ＥＳを配設すると、大弾性部ＥＢの伸びは両側の小弾性部ＥＳで抑制されるが、小弾性部ＥＳは全く伸びないものではないので、大弾性部ＥＢの影響を受けながら変形する。
したがって、大弾性部ＥＢ及びその両側の小弾性部ＥＳは、図３に示すように、扇状に伸びることになる。
【００２６】
本実施の形態においては、図１及び図３に示すように、環状長Ｍの長さ方向に対して弾性変化の大きい編み地の大弾性部ＥＢが乳幼児保持部１２を形成し、また、重ね折りにした環状長Ｍの長さ方向に対して弾性変化の少ない編み地の小弾性部ＥＳが、乳幼児保持部１２の両側に配設され、それによって乳幼児を包み込む案内部１１及び案内部１３を形成している。
【００２７】
ここで、弾性変化の大小の編み地は、特許文献２で説明した編成に弾性変化の少ない柄の編み地、弾性変化の多い柄の編み地を使用する方法がある。しかし、これらの弾性変化のある柄の編み地を使用する方法は、特に、弾性変化の少ない柄の編み地、弾性変化の多い柄の編み地が特定され、ベビースリング１０に対する柄の選択自由度がそれだけ少なくなり、全体のデザインの自由度も限定される。このことは、既に、特許文献２で説明したので、ここでは重複する説明は省略する。
【００２８】
本実施の形態では、編み上げの弾性変化を得る方法として、編み地の目数密度及び／またはループ密度に変化を持たせることを採用した。
例えば、図２に示すように、ニット生地の基礎となる針で編んだ糸のループには、縦に連続したニードルループＮとシンカーループＳがある。なお、ウエールをつなぐ弧状のループの谷となる編目で連続結合し、下方に向いている環をシンカーループＳ、上方に向いている環をニードルループＮという。
【００２９】
ここで、図２に示すように、編成したニットのニードルループＮとシンカーループＳとからなるループに長短を設ければ、シンカーループＳ及びニードルループＮによってループが長い場所は膨張収縮が大きくなり、その密度が低くなるから、結果的に大弾性部ＥＢを構成する。また、ループが短い場所は、その密度が高くなるから、膨張収縮が小さくなり、小弾性部ＥＳを構成することになる。
【００３０】
ニットの編成は、編針の上下動作によって行われるが、編機に多数の編針を並べて用いることによって生地を編成する。通常、１インチ（２．５４ｃｍ）間の編針の本数を編機のゲージ(gauge)といい、編機の仕様を表す重要な要素になっている。ゲージ数が大きい編機ほど、編み上がる編地の密度は高くなり、膨張収縮ができ難くなる。
したがって、編針の本数が多い場所は膨張収縮が小さくなり、小弾性部ＥＳを構成し、また、編針の本数が少ない場所は膨張収縮が大きくなるから、大弾性部ＥＢを構成することになる。
【００３１】
同様に、編成の繰り返しの編み数であるループ密度の高い、低いによっても弾性が変化する。例えば、環状長Ｍの長さ方向に対して弾性変化の高い、密度の低い編み地を大弾性部ＥＢとして編成密度の低いものは伸びが大きいとすることができる。また、重ね折りにした環状長Ｍの長さ方向に対して弾性変化の少ない編み地の小弾性部ＥＳは、ループ密度を下げたものとすることができる。この場合にも、ベビースリング１０は環状長Ｍの長さ方向に対して弾性変化の大きい編み地の大弾性部ＥＢで乳幼児保持部１２を、また、重ね折りにした環状長Ｍの長さ方向に対して弾性変化の少ない編み地の小弾性部ＥＳを、乳幼児保持部１２の両側に編成し、それを案内部１１及び案内部１３とすることができる。
【００３２】
これまでに説明した環状長Ｍの長さ方向に対して弾性変化の大きい編み地部と、重ね折りにした環状長Ｍの長さ方向に対して弾性変化の少ない編み地部は、目数密度またはループ密度の大きさの違いによって決定するものであるが、本発明を実施する場合には、目数密度及びループ密度の大きさの違いを同時に得てもよい。
【００３３】
更に、本実施の形態１のベビースリング１０について、詳しく説明する。
本実施の形態１のベビースリング１０は、図１の縦方向の中心線Ｌ−Ｌの位置から左右に対称の形状であり、左右の両側が環状の小弾性部ＥＳからなり、その小弾性部ＥＳの幅を４〜１０ｃｍとした案内部１１及び反対側の案内部１３が同一幅で形成されている。その間には、膨張収縮が大きい幅を１５〜２５ｃｍとした環状の大弾性部ＥＢによって乳幼児保持部１２が形成されている。
【００３４】
したがって、乳幼児保持部１２に乳幼児等を載せると、その乳幼児の重みで乳幼児保持部１２が伸び、案内部１１及び反対側の案内部１３の伸びが少ないから、乳幼児は乳幼児保持部１２を沈ませ、両側をガイドした形態でその伸びが少ないから、乳幼児を安定した状態で抱持することができる。即ち、図６（ａ）に示すように縦抱きでも、図６（ｂ）に示すように横抱きでも、安定した位置に収まる。
【００３５】
このとき、伸びが少ない案内部１１と案内部１３とが接続された乳幼児保持部１２は、自己の伸びを案内部１１または案内部１３で規制されるから、案内部１１、乳幼児保持部１２、案内部１３の何れにも、急激な伸びを許す歪により或いは収縮の歪により線が入ることがない。また、乳幼児保持部１２と案内部１１または案内部１３との間の一部にストレスが集中することもないから、部分的に傷みが入ることもない。
【００３６】
当然ながら、図１に示す実施の形態のベビースリング１０は、全体平面図が重ね折りにした環状長Ｍ、その環状長Ｍの長さに対して直角方向の幅を帯幅Ｗとするものであるから、外方向に膨張する力を外部から与えないとき、重ね折りにした環状の四角形を形成したものであるから、そのまま、睡眠している乳幼児の上掛けとして使用できる。
【００３７】
本実施の形態１のベビースリング１０は、案内部１３、乳幼児保持部１２、案内部１１が一体に環状に編成されている。
単糸または双糸で編まれてなる本実施の形態のベビースリング１０は、無縫製ニット横編機のホールガーメント編機（ホールガーメントは株式会社島精機製作所の登録商標）で１対の表面ＳＦ側が一体に環状に編まれてなるものである。本発明の実施の形態のホールガーメント編機は、株式会社島精機製作所製造のホールガーメント横編機のＭＡＣＨ２Ｘ、ＭＡＣＨ２Ｓを使用した。
【００３８】
本実施の形態１では、伸びが少ない案内部１１と案内部１３を有しており、乳幼児がベビースリング１０の両側または片側の伸びが少ない案内部１１及び／または案内部１３から外に脚を出していると、当該脚が開口Ａの外周端部である案内部１１または案内部１３との間で圧迫される可能性がある。この点を解消したのが、実施の形態２である。
【００３９】
［実施の形態２］
図４に示す実施の形態２のベビースリング１０は、図４の縦方向の中心線Ｌ−Ｌの位置から左右に対称の形状であり、図１の実施の形態の左右の両側の小弾性部ＥＳの案内部１１と案内部１３の外側に対して、緩衝部１４及び緩衝部１５を同一幅で形成したものである。
即ち、ベビースリング１０の全体の中央部には、幅を１２〜２０ｃｍとした大弾性部ＥＢによって乳幼児保持部１２が形成されている。その両外側には、左右の両側が小弾性部ＥＳからなり、幅を３〜７ｃｍとした案内部１１及び反対側の案内部１３が同一幅で形成されている。そして、その案内部１１及び案内部１３の両外側には、幅を３〜７ｃｍとした緩衝部１４及び緩衝部１５が形成されている。
【００４０】
実施の形態２のベビースリング１０の全体の中央部の乳幼児保持部１２を大弾性部ＥＢとし、ベビースリング１０の外側の緩衝部１４及び緩衝部１５は、同じ弾性とすることができる。即ち、小弾性部ＥＳの案内部１１と案内部１３が、大弾性部ＥＢと緩衝部１４または緩衝部１５との間で、その間の弾性を干渉し、大弾性部ＥＢと小弾性部ＥＳとを明確に区別しておれば、乳幼児保持部１２と、緩衝部１４及び緩衝部１５との弾性を同じとすることもできる。
【００４１】
図５は本実施の形態のベビースリング１０を、緩衝部１５、案内部１３、乳幼児保持部１２、案内部１１、緩衝部１４の横並びで一体に環状に編まれ、緩衝部１５、乳幼児保持部１２、緩衝部１４を均一の弾性とした実施例で、実施の形態１と同様、無縫製ニット横編機のホールガーメント編機（ホールガーメントは株式会社島精機製作所の登録商標）で１対の表面ＳＦ側が一体に環状に編まれるものである。本発明の実施の形態のホールガーメント編機は、株式会社島精機製作所製造のホールガーメント横編機のＭＡＣＨ２Ｘ、ＭＡＣＨ２Ｓを使用している。
【００４２】
図５は全体の処理工程の一部の工程の説明図である。図４の左側から符号を付して説明する。
ここで、ホールガーメント横編機は環状の前方側（前）と後方側（後）を同時に編みながら立ち上がってくる。そのホールガーメント横編機の前に位置する左側から説明すると、ａ領域は大弾性部ＥＢで６段ループの緩衝部１５、ｂ領域は小弾性部ＥＳで２段ループからなる案内部１３、ｃ領域は大弾性部ＥＢで４段ループの乳幼児保持部１２である。この乳幼児保持部１２は中間が省略されている。また、ｄ領域は小弾性部ＥＳで２段ループからなる案内部１１、ｅ領域は大弾性部ＥＢで６段ループの緩衝部１４である。
【００４３】
針は、ａ領域の処理で３段ループの緩衝部１５を左から右へ処理し、ｂ領域の１段ループからなる案内部１３であり、左から右に処理を進行させる。また、ｃ領域では３段ループの緩衝部１５で左から右へ処理し、ｄ領域の処理で２段ループの案内部１１を左から右へ処理し、そして、ｅ領域で大弾性部ＥＢで偶数の４段ループの緩衝部１５であるから、針の移動の方向性を逆にしてｆ領域の処理を進行させる。
【００４４】
前の処理が終了すると、後の処理に入り、前の処理と同様に、ａ領域乃至ｆ領域の処理を行い、ｇ領域で初期位置状態に戻り、ｈ領域及びｉ領域の通常の普通編みとする。このように、本実施の形態のループ密度は６対４の割合いで形成しているので、６段ループ側が大弾性部ＥＢとなり、４段ループ側が小弾性部ＥＳとなる。
そして、プログラムをホールガーメント横編機に設定されることにより、本実施の形態のベビースリング１０が編成される。
【００４５】
本実施の形態のベビースリング１０は、外方向に膨張させる外力を与えるとき、図３のようになるが、外方向に膨張させる外力を図１及び図４のように加えないとき、環状の内面を相手方の内面に接触する重ね折り畳み状態で、前記重ね折りにした環状側の長さが環状長Ｍ、環状長Ｍの長さに対して直角方向の幅を帯幅Ｗとするとき、環状長Ｍが帯幅Ｗの方向に均一であり、帯幅Ｗが環状長の方向に均一であり、対向する環状側の辺のみが開口Ａのように開いて重ね折りにした環状の四角形を形成し、しかも、環状長Ｍの長さ方向に対して弾性変化の大きい編み地部である大弾性部ＥＢと、重ね折りにした環状長Ｍの長さ方向に対して弾性変化の少ない編み地部、即ち、小弾性部ＥＳにより、単糸または双糸で環状に編成し、中央が下方向に凸として大きく弾性変化される乳幼児保持部１２を形成したものである。
【００４６】
したがって、このベビースリング１０においては、外方向に膨張する力を外部から与えないとき、図１または図４に示すように重ね折りにした環状の四角形を形成したものであるから、そのまま、睡眠している乳幼児の上掛けとして使用できる。
また、図６に示すように、環状長Ｍの長さ方向に対して弾性変化の大きい編み地部の大弾性部ＥＢと、重ね折りにした環状長Ｍの長さ方向に対して弾性変化の少ない編み地部の小弾性部ＥＳにより、帯幅Ｗの中央が凸に大きく弾性変化される乳幼児保持部１２を形成するものであるから、安定した乳幼児保持部１２が確保され、ベビースリング１０の機能が発揮できる。しかも、肩幅に広く環状としたベビースリング１０の帯幅Ｗが引っ掛かるので、肩の負担が軽くなり、また、その面積は広くなるが、ベビースリング１０の一重が肩に乗るだけであるから、部分的に暑さを感じることがない。
【００４７】
よって、肩に加わる集中的な負担を軽減でき、安定な乳幼児の抱っこが可能なベビースリング１０となる。また、伸縮性の大きい、小さいは、編み地の目数密度及び／またはループ密度の違いによって異なるものであり、意匠柄に拘束されないので、その選択自由度も高くなる。この実施の形態では、環状長Ｍの長さ方向に対して弾性変化の大きい編み地部である大弾性部ＥＢと弾性変化の少ない編み地部である小弾性部ＥＳは、網目の目数密度及び／またはループ密度の大きさの違いによって行うことができる。
【００４８】
本実施の形態において、伸縮性の大きい、小さいは、編み地の目数密度及び／またはループ密度の違いによって異なるものであり、特定された方向のみを対象とするものである。この弾性変化の大きい、小さいは、弾性率で表現すると２倍以下であればよい。沈み込み量からして１．２倍から、乳幼児の体重及びそのサイズに基づき沈み位置を加味すると２倍までが好適な伸びとなる。このときの伸びとは、伸縮性が大きい編み方または伸縮性の小さい編み方を独立させて、２０ｋｇを加えた場合の伸びの量の比較である。
【００４９】
また、ベビースリング１０の中心線Ｌ−Ｌが環状から外方向に凸状に突出し、大きく弾性変化される乳幼児保持部１２は、環状長Ｍの長さ方向に対して弾性変化の大きい編み地部である大弾性部ＥＢによって、乳幼児の臀部を外方向に突出させて受ける形態であれば使用できる。
そして、乳幼児保持部１２は、環状の長さ方向に直角に２つに折り畳んだとき、中央が凸に湾曲形成される。即ち、乳幼児保持部１２は乳幼児の重みで沈み易く、乳幼児保持部１２内またはその近傍に重心位置がきて、安定した位置が保持できる重心位置となる深さに湾曲及びその弾性変化が設定されておればよい。
更に、単糸または双糸で環状に編まれてなるとは、単糸または単糸を寄り合わせた双糸の何れでもよいことを意味し、また、糸の撚り数は糸の番手によって標準的な撚り数が決まっているが、標準より撚り数を増やした強撚糸でもよいし、撚り回数を減らした弱撚糸としてもよい。また、糸自体に特種加工を施した意匠撚糸としてもよい。
【００５０】
したがって、乳幼児保持部１２に乳幼児等を載せると、その重みで乳幼児保持部１２が弾性に抗して伸び、案内部１１及び反対側の案内部１３の伸びが少ないことから、乳幼児は乳幼児保持部１２に安定した状態、即ち、図６（ａ）に示すように縦抱きでも、図６（ｂ）に示すように横抱きでも、安定した位置に収まる。
このとき、伸びが少ない案内部１１及び案内部１３と接続された乳幼児保持部１２は、自己の伸びを案内部１１及び案内部１３で抑制されるから、案内部１１、案内部１３、乳幼児保持部１２の何れにも、伸び縮みの歪に起因する線が入ることがない。また、乳幼児保持部１２と案内部１１または案内部１３との間の一部に集中してストレスが集中することもないから、部分的な傷みが生ずることがない。
【００５１】
本実施の形態２では、伸びが少ない案内部１１と案内部１３を有しており、乳幼児がベビースリング１０の両側の伸びが少ない案内部１１と案内部１３から図６（ａ）に示すように脚を外に出していると、当該脚が案内部１１または案内部１３との間の端部で圧迫されようとするが、案内部１１の外側には緩衝部１４、案内部１３の外側には緩衝部１５が設けられているから、案内部１１及び案内部１３よりもその外側の緩衝部１４及び緩衝部１５が伸びようとし、実際に伸びる。このとき緩衝部１４及び緩衝部１５の伸びは、一方が案内部１１または案内部１３で伸びが抑制されているから、そこに外力を加えると緩衝部１４と緩衝部１５は断面Ｕ字状に湾曲する。
【００５２】
緩衝部１４及び緩衝部１５が案内部１１または案内部１３に接続された状態で、断面Ｕ字状に湾曲すると、案内部１１と緩衝部１４が面として変化し、また、案内部１３と緩衝部１５も面として変化し、譬え、乳幼児の足が案内部１１及び／または案内部１３を乗り越えても、緩衝部１４及び緩衝部１５の作用によって、ベビースリング１０の開口Ａのエッジに接触することがなくなるから、脚に負担をかけることがない。ベビースリング１０で長期間乳幼児を抱っこしても、乳幼児の負担が殆どない。
【００５３】
即ち、実施の形態２においては、帯幅Ｗの弾性変化の少ない小弾性部ＥＳの両外側に、幅３〜７ｃｍの弾性変化の大きい大弾性部ＥＢを形成したものであるから、緩衝部１４が案内部１１と緩衝部１５が案内部１３に接続された状態で、両者が断面Ｕ字状に湾曲すると、案内部１１と緩衝部１４が面として変化し、また、案内部１３と緩衝部１５も面として変化し、譬え、乳幼児の足が案内部１１及び／または案内部１３を乗り越えても、緩衝部１４及び緩衝部１５の作用によって、ベビースリングの開口Ａのエッジに接触することがなくなるから、乳幼児の脚に負担をかけることがない。ベビースリング１０で長期間乳幼児を抱っこしても、乳幼児の負担が殆どない。
【００５４】
また、重ね折りにした環状側の環状長Ｍの長さ方向に対して環状の弾性変化の大きい大弾性部ＥＢと、前記重ね折りにした環状側の環状長Ｍの長さ方向に対して環状の弾性変化の少ない小弾性部ＥＳは、帯幅Ｗを中心に環状の弾性変化の大きい大弾性部ＥＢを乳幼児保持部１２の中心とし、その両側を弾性変化の少ない小弾性部ＥＳとしたものである。
したがって、乳幼児保持部１２の中心に乳幼児の体重が加わり、また、幼児保持部１２の中心が最も弾性変化が大きくなるから、安定したベビースリング１０として使用できる。また、環状の大弾性部ＥＢと小弾性部ＥＳは、編み地の目数及び／またはループ数に変化を持たせる編み上げの弾性変化を得ているから、全体のデザイン自由度を高くすることができる。
【００５５】
なお、実施の形態のベビースリング１０は、単糸または双糸によって無縫製ニット横編機で全体が編成されているが本発明を実施する場合には、１本の糸自体が丈夫なものであれば、意匠撚糸であるか否かを問うものではない。通常、撚りを付与した撚糸が使用され、格別な糸に限定されるものではない。紡績糸、フィラメント糸、モノフィラメント糸、嵩高糸、中空糸、被覆糸、コアヤーン糸、複合糸、扁平糸、異形断面糸、スプリット糸、漆糸等が使用可能である。
【００５６】
［実施の形態３］
上記実施の形態のベビースリング１０では、無縫製ニット横編機で全体が編成され、帯幅Ｗを中心に環状の弾性変化の大きい大弾性部ＥＢを乳幼児保持部１２の中心とし、その両側を弾性変化の少ない小弾性部ＥＳとしたものである。しかし、環状側の環状長Ｍを同一の網目で、帯幅Ｗの方向の目を変化させることにより、環状側の環状長Ｍの方向の弾性変化を持たせることができる。この説明では、上記実施の形態との重複する説明を省略する。
【００５７】
図６は無縫製ニット横編機のホールガーメント編機（ホールガーメントは株式会社島精機製作所の登録商標）のディジタル機能を使用して、弾性をアナログ的に順次変化させる事例を説明する。
図６における本実施の形態のベビースリング２０は、最も外側に位置する緩衝部５１は、網目を８．５ｍｍとして横方向に１２目編み、次いで調整緩衝部５２は網目を８ｍｍとして横方向に６目編み、次に、最も伸びない伸び止め案内部５３は網目を７．５ｍｍとして横方向に１２目編んでいる。これによって、図４の緩衝部１５(最外側の緩衝部５１)と案内部１３の間に弾性を調節する調整緩衝部５２が介在することになる。
但し、緩衝部５１は後に説明する乳幼児保持部５８の弾性よりも弾性は少なくなっている。
【００５８】
内側調整緩衝部５４は、網目を８ｍｍとして横方向に６目編み、調整緩衝部５２と同一の弾性を持たせることにより、これにより、案内部５３の両側に皺等の不連続点(不連続線)が生じないようにしている。
次に、第１弾性調整部５５は、網目を８．５ｍｍとして横方向に８目編み膨張収縮が大きい弾性の一部となっている。第１弾性調整部５５は、案内部５３の両側に皺等の不連続点(不連続線)が生じないように最も外側に位置する緩衝部５１との間に対称性を持たせている。
【００５９】
第２弾性調整部５６は網目を９ｍｍとして横方向に６目編み、第３弾性調整部５７は網目を９．５ｍｍとして横方向に８目編み、膨張収縮が大きい弾性部を形成している。
次に、乳幼児保持部５８は、網目を１０ｍｍとして横方向に２３目編み、膨張収縮が最も大きい大弾性部を形成している。
この第１弾性調整部５５、第２弾性調整部５６、第３弾性調整部５７は、後述する第３弾性調整部５９、第２弾性調整部６０、第１弾性調整部６１と共に、乳幼児保持部５８の緩衝を行い、乳幼児保持部５８の両側に皺等の不連続点(不連続線)が生じないようにしている。
【００６０】
第３弾性調整部５９は網目を９．５ｍｍとして横方向に８目編み、第２弾性調整部６０は網目を９ｍｍとして横方向に６目編み、第１弾性調整部６１は網目を８．５ｍｍとして横方向に８目編み膨張収縮が大きい弾性部を形成している。そして、内側調整緩衝部６２は、網目を８ｍｍとして横方向に６目編み、調整緩衝部６４と同一の弾性を持たせることにより、網目を７．５ｍｍとして横方向に１２目編み込んでいる案内部６３の両側には、皺等の不連続点(不連続線)が生じないようにしている。次いで調整緩衝部６４は網目を８ｍｍとして横方向に６目編み、最外側の緩衝部６５は網目を８．５ｍｍとして横方向に１２目編み込んだものである。
【００６１】
このように、本実施の形態のベビースリング２０においても、外方向に膨張させる外力を与えるとき、図３のようになるが、外方向に膨張させる外力を加えないとき、図８のように環状の内面を相手方の内面に接触する重ね折り畳み状態で、前記重ね折りにした環状側の長さが環状長Ｍ、環状長Ｍの長さに対して直角方向の幅を帯幅Ｗとするとき、環状長Ｍが帯幅Ｗの方向に均一であり、帯幅Ｗが環状長の方向に均一であり、対向する環状側の辺のみが開口Ａのように開いて重ね折りにした環状の四角形を形成し、しかも、環状長Ｍの長さ方向に対して弾性変化の大きい編み地部である大弾性部ＥＢと、重ね折りにした環状長Ｍの長さ方向に対して弾性変化の少ない編み地部、即ち、小弾性部ＥＳにより、単糸または双糸で環状に編成し、中央が下方向に凸として大きく弾性変化される乳幼児保持部５８を形成したものである。
【００６２】
したがって、このベビースリング２０においては、外方向に膨張する力を外部から与えないとき、図８に示すように重ね折りにした環状の四角形を形成したものであるから、そのまま、睡眠している乳幼児の上掛けとして使用できる。
また、図６に示すように、環状長Ｍの長さ方向に対して弾性変化の大きい編み地部の大弾性部ＥＢと、重ね折りにした環状長Ｍの長さ方向に対して弾性変化の少ない編み地部の小弾性部ＥＳにより、帯幅Ｗの中央が凸に大きく弾性変化される乳幼児保持部５８を形成するものであるから、安定した乳幼児保持部５８が確保され、ベビースリング２０の機能が発揮できる。しかも、肩幅に広く環状としたベビースリング２０の帯幅Ｗが引っ掛かるので、肩の負担が軽くなり、また、その面積は広くなるが、ベビースリング２０の一重が肩に乗るだけであるから、部分的に暑さを感じることがない。
【００６３】
よって、肩に加わる集中的な負担を軽減でき、安定な乳幼児の抱っこが可能なベビースリング２０となる。また、伸縮性の大きい、小さいは、編み地の目数密度及び／またはループ密度の違いによって異なるものであり、意匠柄に拘束されないので、その選択自由度も高くなる。この実施の形態では、環状長Ｍの長さ方向に対して弾性変化の大きい編み地部である大弾性部ＥＢと弾性変化の少ない編み地部である小弾性部ＥＳは、網目の目数密度及び／またはループ密度の大きさの違いによって行うことができる。
【００６４】
本実施の形態では、全体を編み地の目数密度の低い大弾性部ＥＢと編み地の目数密度の高い小弾性部ＥＳの接続が、図４の実施の形態と異なり、両者の中間位置に弾性調整部としての、調整緩衝部５２及び内側調整緩衝部５４、並びに第１弾性調整部５５、第２弾性調整部５６、第３弾性調整部５７及び第３弾性調整部５９、第２弾性調整部６０、第１弾性調整部６１によって弾性が順次変化しているから、ベビースリング２０の全体に対してストレスが入り難い。また、皺等の不連続点(不連続線)が生じない。
【００６５】
即ち、本実施の形態のベビースリングにおいては、重ね折りにした環状側の環状長Ｍの長さ方向に対して弾性変化の大きい編み地部としての乳幼児保持部１２，５８と、重ね折りにした環状側の環状長Ｍの長さ方向に対して弾性変化の少ない編み地部としての案内部１１，１３，５３，６３は、その間に中間的な弾性変化の編み地部を設けたものであるから、請求項１乃至請求項３の何れか１つに記載の効果に加えて、弾性変化の大きい編み地部と弾性変化の少ない編み地部との間に、中間的な弾性変化の編み地部としての調整緩衝部５２及び内側調整緩衝部５４、並びに第１弾性調整部５５、第２弾性調整部５６、第３弾性調整部５７及び第３弾性調整部５９、第２弾性調整部６０、第１弾性調整部６１によって弾性が順次変化しているから、弾性変化の大きい乳幼児保持部１２，５８と弾性変化の少ない案内部１１，１３，５３，６３と、中間的な弾性変化の編み調整緩衝部５２及び内側調整緩衝部５４、並びに第１弾性調整部５５、第２弾性調整部５６、第３弾性調整部５７及び第３弾性調整部５９、第２弾性調整部６０、第１弾性調整部６１の何れにもストレスが入り難くなるので、ベビースリングを長寿とし、かつ、皺が入ることがない。
【００６６】
更に、本発明を実施する場合の実施の形態について説明する。
帯幅Ｗの中央線Ｌ−Ｌがその長さ方向に直角な幅方向、即ち、環状側の環状長Ｍに対する弾性変化の大きい大弾性部ＥＢは、メッシュ、模様編み等の天竺編み地とすることができる。天竺編みは、最も基本的な編み組織であり、表面ＳＦに縦方向の筋が見え、裏面ＢＡはやや粗い感じになる。しかし、本発明を実施する場合には、ベビースリング１０は、通気性のあるメッシュで形成され、蒸れの生じない仕様を可能としている。また、内側部１２の天竺編みは、メッシュ、模様編み等によって特定方向に伸縮性を付与している。なお、弾性変化の大きい大弾性部ＥＢとしてメッシュ、模様編み等からなる天竺編みは、パール編みとすることもできる。このパール編みは、環状の長さ方向及び環状の長さ方向に直角な幅方向の両方向の弾性変化の大きいものである。
【００６７】
上記実施の形態１または実施の形態２のベビースリング１０は、環状の案内部１３、乳幼児保持部１２、案内部１１または緩衝部１５、案内部１３、乳幼児保持部１２、案内部１１、緩衝部１４が一体となっているから、乳幼児の体重が肩の一部に集中することなく分散でき、乳幼児を抱持する者の肩の疲れを低減させることができる。そして、環状の案内部１３、乳幼児保持部１２、案内部１１または緩衝部１５、案内部１３、乳幼児保持部１２、案内部１１、緩衝部１４が一体に環状に編まれてなるから、部分的に縫い合わせが外れて一部が破断したり、伸びたりするという事態が発生しない。したがって、安全性の高いベビースリング１０とすることができる。よって、全体の環状の長さが変化することなく、かつ、乳幼児保持部１２で乳幼児を安定した受けができるベビースリング１０とすることができる。実施の形態３のベビースリング２０も同様である。
【００６８】
上記実施の形態のベビースリング１０、ベビースリング２０は、環状の長さ方向に直角に２つに折り畳んで重ねたとき、中央が下側に凸に乳幼児の重みで沈み易く、また、ベビースリング１０、ベビースリング２０の中心線Ｌ−Ｌの位置またはその近傍に重心位置がこれば、案内部１１，１３、案内部５３，６３が上に位置し、安定した位置が保持できる重心位置となるから、図６（ａ）に示すような抱き方においても、使いやすい乳幼児を抱持する補助具となる。
特に、図６（ｂ）に示すような抱き方においては、中央が下側に凸に湾曲形成されているから、乳幼児の重みで沈み易く、ベビースリング１０の乳幼児保持部１２の中心線Ｌ−Ｌに重心位置がきて、その重心位置から安定した抱き心地となる。実施の形態３のベビースリング２０も同様である。
【００６９】
ベビースリング１０、ベビースリング２０は、環状長Ｍと帯幅Ｗが連続して均一の長さであり、均一幅で乳幼児保持部１２，５８の縁取りが形成されているから、環状の案内部１１，１３、案内部５３，６３の伸縮はごく僅かであり、ベビースリング１０、ベビースリング２０が伸縮自在であるから、荷重に対応した構成となり、見栄えの向上及び機能美が表象できる。
【００７０】
また、実施の形態のベビースリング１０、ベビースリング２０では、環状の環状長Ｍと帯幅Ｗを均一とし、両外側を案内部１１，１３、案内部５３，６３とし、長さ方向に対して弾性変化の少ない小弾性部ＥＳとしたものであるから、肩の肩甲骨、鎖骨、上腕骨の何れにベビースリング１０、ベビースリング２０が掛っても、安定した襷掛け（たすきがけ）が維持できる。特に、長さ方向に対する直角方向の伸びが適当に存在するから、それが肩に当たっても特定の個所が痛くなる等の負担はない。
また、ベビースリング１０、ベビースリング２０は、乳幼児の体重が肩、即ち、肩甲骨、鎖骨、上腕骨の何れかの一部に集中しないから、肩に加わる力が分散でき、乳幼児を抱持する者の肩の疲れを低減させることができ、乳幼児を抱く者（大人）の負担が軽減できる。
【００７１】
更に、ベビースリング１０，２０は、一体に環状に編まれてなるのは、１本の糸によって無縫製ニット横編機で編成されたものである。したがって、このベビースリング１０，２０においては、乳幼児保持部１２，５８が一体に環状に無縫製ニット横編機で編まれてなるのは、単一の糸によって編成されたものであるから、部分的に糸が解けてベビースリング１０，２０の機能の一部が欠落するということがない。
【００７２】
乳幼児保持部１２，５８の環状長Ｍ方向の両側が弾性変化の少ない小弾性部ＥＳと、環状長Ｍ方向の中央側がその長さ方向に直角な帯幅Ｗからなる小弾性部ＥＳ方向に対する弾性変化の大きい大弾性部ＥＢとは、弾性変化の少ない小弾性部ＥＳをリブ編みとし、それを基準としてもよいし、逆に、弾性変化の大きい大弾性部ＥＢを基準としてもよい。
したがって、ベビースリング１０，２０の環状の長さ方向の両側が弾性変化の少ない小弾性部ＥＳと、環状の長さ方向の中央側が弾性変化の大きい大弾性部ＥＢとは、弾性変化の少ない小弾性部ＥＳをリブ編みとし、弾性変化の大きい大弾性部ＥＢを天竺編みとし、それを基準にしてもよい。
【００７３】
特に、本実施の形態の乳幼児保持部１２，５８の長さ方向の両側が弾性変化の少ない小弾性部ＥＳは、リブ編みでも、ストレッチ天竺及び／またはベア天竺編み、パール編みの何れでもよい。特に、それが、弾性変化の大きい大弾性部ＥＢとして設定できるものであればよい。また、逆に、本実施の形態の乳幼児保持部１２，５８の弾性変化の大きい大弾性部ＥＢは、リブ編みでも、ストレッチ天竺及び／またはベア天竺編み、パール編みとすることができる。何れにせよ、弾性変化の大きい大弾性部ＥＢと弾性変化の少ない小弾性部ＥＳが設定できるものであればよい。
そして、リブ編みでも、ストレッチ天竺及び／またはベア天竺編み、パール編みの何れであっても、更にそれによって模様、装飾を付してもよい。
【符号の説明】
【００７４】
ＳＦ    表面
ＢＡ    裏面
ＥＳ    小弾性部
ＥＢ    大弾性部
Ｗ      帯幅
Ｍ      環状長
Ａ      開口
１２，５８    乳幼児保持部
１１，１３、５３，６３    案内部
１４，１５、５１，６５    緩衝部
【図１】
2015047248.tif 000003
【図２】
2015047248.tif 000004
【図３】
2015047248.tif 000005
【図４】
2015047248.tif 000006
【図５】
2015047248.tif 000007
【図６】
2015047248.tif 000008
【図７】
2015047248.tif 000009
【図８】
2015047248.tif 000010